(57)【要約】【目的】本発明は、駐車場精算システム、メモリ部付携帯端末、ＰＯＳ端末ゲート、および駐車場精算プログラムに関し、従来の紙ベースの駐車券、磁気ストラップ付駐車サービス券に取って代わる駐車システムを構築することを目的とする。【構成】駐車場への入庫時に、利用者がかざした携帯端末に装着されたメモリ部に、入庫時刻、単位時間料金を書き込むライタを設けた入庫ゲートと、駐車場からの出庫時に、利用者がかざした携帯端末に装着されたメモリ部から、事前精算済を表す情報を読み出すリーダ、あるいは、精算指示を通知あるいは出庫ゲートに精算指示を提示したことに対応して携帯端末側でメモリ部に記憶された入庫時刻、単位時間料金、割引サービス情報をもとに算出された駐車料金の支払が完了したときに、精算済を表す情報がメモリ部に書き込まれたときにこれを読み出すリーダを設け、精算済と判明したときにゲートを開とする出庫ゲートとを備える。【選択図】        図１
2008242727.tif 000002
【特許請求の範囲】
【請求項１】
駐車場の入庫、出庫、および駐車割引サービスを含めた精算を行う駐車場精算システムにおいて、
駐車場への入庫時に、利用者がかざした携帯端末に装着されたメモリ部に、入庫時刻おおび単位時間料金を書き込むライタを少なくとも設けた入庫ゲートと、
駐車場からの出庫時に、利用者がかざした携帯端末に装着されたメモリ部から、事前精算済を表す情報を読み出すリーダ、あるいは、事前精算済を表す情報が読み出されないときに、精算指示を通知あるいは出庫ゲートに精算指示を提示したことに対応して携帯端末側でメモリ部に記憶された前記入庫時刻、単位時間料金および割引サービス情報をもとに算出された駐車料金の支払が完了したときに、前記精算済を表す情報がメモリ部に書き込まれたときにこれを読み出すリーダを少なくとも設け、精算済と判明したときにゲートを開とする出庫ゲートと、
を備えたことを特徴とする駐車場精算システム。
【請求項２】
無線で読み書きするメモリ部を装着した携帯端末は、前記メモリ部の情報を無線で読み出すリーダと、当該リーダで読み出した情報である、入庫時刻、単位時間料金、および必要に応じて割引サービス情報を読み出し、現在の駐車料金を算出して提示する駐車料金提示手段を備えたメモリ部付携帯端末。
【請求項３】
前記駐車料金提示手段が、設定条件に合致する時刻あるいは合致する時刻の所定分前になったときに前記携帯端末にアラームを提示する手段を備えたことを特徴とする請求項２記載のメモリ部付携帯端末。
【請求項４】
携帯端末に装着した無線で読み書きするメモリ部が保持する割引サービス情報は、店舗などで商品を購入したときにＰＯＳ端末に接続したライタが、購入商品データをもとに算出された割引サービス情報を、かざした当該携帯端末のメモリ部に書き込む手段を備えたことを特徴とするＰＯＳ端末ゲート。
【請求項５】
駐車場の入庫、出庫、および駐車割引サービスを含めた精算を行う駐車場精算プログラムにおいて、
コンピュータに、
駐車場への入庫時に、入庫ゲートに設けたライタに、利用者がかざした携帯端末に装着されたメモリ部に、入庫時刻おおび単位時間料金を書き込ませる手段と、
駐車場からの出庫時に、出庫ゲートに設けたリーダに、利用者がかざした携帯端末に装着されたメモリ部から、事前精算済を表す情報を読み出させる手段、あるいは、事前精算済を表す情報が読み出されないときに、精算指示を通知あるいは出庫ゲートに精算指示を提示したことに対応して携帯端末側でメモリ部に記憶された前記入庫時刻、単位時間料金および割引サービス情報をもとに算出された駐車料金の支払が完了したときに、前記精算済を表す情報がメモリ部に書き込まれたときにこれを読み出させる手段と
を備え、
精算済と判明したときにゲートを開とする手段と
して機能させるための駐車場精算プログラム。
【発明の詳細な説明】
【技術分野】
【０００１】
本発明は、駐車場の入庫、出庫、および駐車割引サービスを含めた精算を行う駐車場精算システム、メモリ部付携帯端末、ＰＯＳ端末ゲート、および駐車場精算プログラムに関するものである。
【背景技術】
【０００２】
従来、時間単位で課金される駐車場は、駐車場への入庫時に入庫ゲートにて入庫時間が記録された駐車券を受け取り、出庫する際にその駐車券を精算機に挿入し、駐車時間に応じた料金を支払うことで出庫できた。また、店舗に隣接した駐車場によっては、一定金額以上の買物をすることで駐車サービスを受けることができるが、サービスを受けるには別途、駐車サービス券を発行してもらって、出庫時に精算機に入れて、割引サービスを受けていた。
【０００３】
また、上述した従来の紙ベースあるいは紙に塗布した磁気部分にデータを書き込む駐車券、駐車サービス券を受け取ったり、入れたりなどする煩雑な操作を無くすために、携帯端末を利用し、当該携帯端末と管理端末との間で通信する通信手段と記憶手段とを当該管理端末側に設け、駐車場に入庫するときに携帯端末と管理端末側の通信手段と通信して当該利用者の携帯端末のＩＤを特定、隣接する店舗などで購入した商品購入データなどをもとに駐車場料金の支払判定を行い、不足のときに支払う技術がある（特許文献１）。
【特許文献１】特開２０００−２２２２７６号号公報
【発明の開示】
【発明が解決しようとする課題】
【０００４】
上述した携帯端末を利用し、駐車場システム側の管理端末などの専用サーバを設け、入庫時に利用者の携帯端末と通信して利用者毎の個別コード（携帯端末コードなど）を特定し、商品購入データなどをもとに駐車料金の支払判定を行ったのでは、携帯端末と専用サーバ（管理端末）と無線で通信する必要があり大げさな通信網（通信手段）が必要となってしまうと共に利用者毎の個別コードで入庫時の入庫時間、商品購入データなどを一元管理する必要があり、システムの構築が大掛かりとなってしまい、簡易に従来の紙ベースの駐車場システムを置き換えることができないという問題があった。
【課題を解決するための手段】
【０００５】
本発明は、これらの問題を解決するため、駐車場の入庫、出庫、および駐車割引サービスを含めた精算を行う駐車場精算システムにおいて、駐車場への入庫時に、利用者がかざした携帯端末に装着されたメモリ部に、入庫時刻おおび単位時間料金を書き込むライタを少なくとも設けた入庫ゲートと、駐車場からの出庫時に、利用者がかざした携帯端末に装着されたメモリ部から、事前精算済を表す情報を読み出すリーダ、あるいは、事前精算済を表す情報が読み出されないときに、精算指示を通知あるいは出庫ゲートに精算指示を提示したことに対応して携帯端末側でメモリ部に記憶された入庫時刻、単位時間料金および割引サービス情報をもとに算出された駐車料金の支払が完了したときに、精算済を表す情報がメモリ部に書き込まれたときにこれを読み出すリーダを少なくとも設け、精算済と判明したときにゲートを開とする出庫ゲートとを備えるようにしている。
【０００６】
また、メモリ部付携帯端末は、無線で読み書きするメモリ部を装着した携帯端末は、メモリ部の情報を無線で読み出すリーダと、リーダで読み出した情報である、入庫時刻、単位時間料金、および必要に応じて割引サービス情報を読み出し、現在の駐車料金を算出して提示する駐車料金提示手段を備えるようにしている。
たメモリ部付携帯端末。
【０００７】
この際、駐車料金提示手段は、設定条件に合致する時刻あるいは合致する時刻の所定分前になったときに携帯端末にアラームを提示する手段を備えるようにしている。
【０００８】
また、ＰＯＳ端末ゲートは、携帯端末に装着した無線で読み書きするメモリ部が保持する割引サービス情報について、店舗などで商品を購入したときにＰＯＳ端末に接続したライタが、購入商品データをもとに算出された割引サービス情報を、かざした携帯端末のメモリ部に書き込む手段を備えるようにしている。
【発明の効果】
【０００９】
本発明は、携帯端末に無線で読み書きするメモリ部（例えばＩＣタグ）を設け、入庫時に入庫ゲート側からＩＣタグに入庫時刻、料金情報を書き込み、店舗などで商品購入したときに購入金額などに応じた駐車サービス時間をメモリ部に書き込み、更に、利用者は随時、携帯端末にインストールしたプログラムからメモリ部の情報を読み取って駐車経過時間、駐車サービス時間が書き込まれているときは残割引時間などを随時表示し、出庫時に出庫ゲート側からメモリ部の情報を読み出して精算することにより、利用者はメモリ部付携帯端末を入庫ゲート、出庫ゲート、更に、店舗のゲートに触れるあるいは近接するのみで自動的に駐車サービスを受けられると共に、駐車システム側では専用サーバが不要であり、かつ単に入庫ゲート、出庫ゲート、更に、ＰＯＳ端末などに設置したゲートにＩＣリーダ・ライタを設置するという簡単な構成で、従来の紙ベースの駐車券、磁気ストラップ付駐車サービス券に取って代わる駐車システムを構築することが容易に可能となる。
【発明を実施するための最良の形態】
【００１０】
本発明は、利用者はメモリ部付携帯端末を入庫ゲート、出庫ゲート、更に、店舗のゲートに触れるあるいは近接するのみで自動的に駐車サービスを受けられると共に、駐車システム側では専用サーバが不要であり、かつ単に入庫ゲート、出庫ゲート、更に、ＰＯＳ端末などに設置したゲートにＩＣリーダ・ライタを設置するという簡単な構成で、従来の紙ベースの駐車券、磁気ストラップ付駐車サービス券に取って代わる駐車システムを構築することを実現した。
【実施例１】
【００１１】
図１は、本発明のシステム構成図を示す。
図１において、ＩＣリーダ／ライタ１は、利用者が所持する携帯端末２に装着したメモリ部４１に、データを書き込んだり、読み出したり、消去したりなどするものであって、ここでは、制御部１１、ＩＣリーダ／ライタ機能１３、通信部１４、タイマ１５、メモリ１６などから構成されるものである。
【００１２】
制御部１１は、プログラムに従い各種制御を行うものであって、ここでは、管理情報アクセス部１２などから構成されるものである。
【００１３】
管理情報アクセス部１２は、利用者が所持する携帯端末２に装着されたメモリ部（ＩＣタグ）４１に、データ（入庫時刻、時間当りの駐車料金情報、割引サービス時間など）を書き込んだり、読み出したり、消去したりなどするものであって、ここでは、後述する図３のメモリ部４１内に設けた管理情報テーブル４１０に書き込んだり、読み出したり、消去したりなどするものである（図２から図１２参照）。
【００１４】
ＩＣリーダ／ライタ機能１３は、利用者が所持する携帯端末２に装着されたメモリ部（ＩＣタグ）４１に、データを書き込んだり、読み出したり、消去したりなどするものである。
【００１５】
通信部１４は、メモリ部４１と通信するものである。
タイマ１５は、時刻を計測などするものであって、ここでは、現在時刻を計測、設定された所定時間を経過したときにその旨を応答するなどするものである。
【００１６】
メモリ１６は、各種情報を記憶するものであって、ここでは、時間当たりの駐車料金情報１６１、店舗情報１６２、利用可能サービス券情報１６３、決済情報１６４などを記憶するものである。
【００１７】
時間当たりの駐車料金情報１６１は、利用者が駐車した駐車場の時間当りの駐車料金である。
【００１８】
店舗情報１６２は、駐車サービスを提供する店舗情報である。
利用可能サービス券情報１６３は、利用可能なサービス券情報である。
【００１９】
決済情報１６４は、駐車料金を決済可能な決済情報（電子マネー、プリペイドカードなど）である。
【００２０】
携帯端末２は、利用者が所持する携帯端末であって、外部から無線でアクセス可能なメモリ部４１を装着した携帯端末であり、制御部２１、ＩＣリーダ／ライタ２５、通信部２６、表示部２７、入出力部２８、タイマ２９、メモリ３０、駐車場料金精算アプリケーション３１、およびメモリ部（ＩＣタグ）４１などから構成されるものである。
【００２１】
制御部２１は、プログラムに従い各種制御を行うものであって、ここでは、管理情報アクセス部２２、ＩＣリーダ／ライタ２５、メモリ２６などから構成されるものである。
【００２２】
管理情報アクセス部２２は、メモリ部（ＩＣタグ）４１にデータを書き込んだり、読み出したり、消去したりなどするものである。メモリ部（ＩＣタグ）４１として、ＩＣタグ４１を装着した場合には管理情報アクセス部２２はＩＣリーダ／ライタ２５を介して当該ＩＣタグ４１にアクセスする。
【００２３】
ＩＣリーダ／ライタ２５は、メモリ部４１としてＩＣタグを装着した場合に、当該ＩＣタグ４１に無線で電源を供給したり、ブロードキャストして当該ＩＣタグ４１からの応答を要求したり、データを書き込んだり、読み出したり、消去したりなどする公知のものである。
【００２４】
通信部２６は、メモリ部４１と送受信するものである。
表示部２７は、料金あるいは時間が所定値を超えたときにその旨のアラームを表示したりなどするものである。
【００２５】
入出力部２８は、データを入出力（送受信）するものである。
タイマ２９は、現時刻、設定した所定時刻などを計測するものである。
【００２６】
メモリ３０は、データを記憶するものであって、ここでは、入庫時間と現時刻との時刻差分情報などを記憶するものである。
【００２７】
駐車場料金精算アプリケーション３１は、駐車場料金を精算するものであって、駐車場の出庫ゲートあるいは事前精算機に、メモリ部（ＩＣタグ）４１付の携帯電話２をかざしたときに当該メモリ部（ＩＣタグ）４１内の情報（入庫時刻、時間当り駐車料金情報、割引サービス時間などの情報）をもとに料金を算出し、電子マネー、プリペイドカード、クレジットカードなどで精算するものであって、精算手段３２、料金・アラーム表示部３３などから構成されるものである。駐車場料金精算アプリケーション３１は、入庫ゲートで利用者がメモリ部４１付の携帯端末２をかざしたときにインストールされていないときは、このときに図示外のサーバからインストールし、動作可能状態（携帯端末のＯＳ上で動作可能状態）にする。
【００２８】
精算手段３２は、駐車料金を支払う必要があったときに、当該駐車料金を精算（電子マネー、プリペイドカード、クレジットカードなどで支払って精算（別途、該当サーバに接続して口座引落などして精算））するものである。
【００２９】
料金・アラーム表示部３３は、駐車料金が所定料金を超えたとき、割引サービス時間を越えたときなどにアラームを携帯端末２の表示部に表示したり、所定の音声でアラームを発声し、利用者に知らせたりするものである（図２から図１２参照）。
【００３０】
メモリ部（ＩＣタグ）４１は、ＩＣリーダ／ライタ１が各種情報を書き込んだり、読み出したり、消去したりする記憶部であって、管理情報テーブル４１０を格納するものであり、ＩＣタグ、ＩＣメモリなどの無線でアクセス可能な不揮発性の記憶媒体である。
【００３１】
管理情報テーブル４１０は、管理情報を格納したテーブルであって、ここでは、入庫時間４１１、時間当たり駐車領域情報４１２、サービス券情報４１３、決済情報４１４などを格納するものである（図３参照）。
【００３２】
入庫時間４１１は、駐車場への入庫ゲートに、利用者がメモリ部（ＩＣタグ）４１付の携帯端末２をかざしたときに、当該入庫ゲートに設置したＩＣリーダ／ライタ１が現在の時刻を入庫時刻としてメモリ部（ＩＣタグ）４１に書き込んだものである。
【００３３】
時間当たり駐車料金情報４１２は、入庫時間４１１と同様に、駐車場への入庫ゲートに、利用者がメモリ部（ＩＣタグ）４１付の携帯端末２をかざしたときに、当該入庫ゲートに設置したＩＣリーダ／ライタ１が当該駐車場の単位時間当たりの駐車料金をメモリ部（ＩＣタグ）４１に書き込んだものである。
【００３４】
サービス券情報４１３は、駐車料金の精算時に無料となるサービス券情報である。
決済情報４１４は、駐車料金を決済した情報（支払済で、３００円で精算時刻が１２：３０などの情報）である。
【００３５】
決済情報４１４は、精算した精算時刻および支払った精算済の駐車料金などを設定するものである。駐車料金は、無料サービス時間を経過する前で無料のときは設定しない。
【００３６】
次に、図２のフローチャートの順番に従い、図１の構成の全体の動作を詳細に説明する。
【００３７】
図２は、本発明の動作説明フローチャート（全体）を示す。
図２において、Ｓ１は、駐車場の入庫ゲートで携帯端末をかざす。
【００３８】
Ｓ２は、ＩＣリーダが携帯端末の情報を読み取る。
Ｓ３は、ＩＣライタが携帯端末に管理情報を書き込む。これらＳ１、Ｓ２，Ｓ３は、利用者が自動車を運転し、駐車場の入庫ゲートで、図１のメモリ部４１付の携帯端末２を当該入庫ゲートあるいは当該入庫ゲートの近傍に配置したＩＣリーダ／ライタ１にかざすと、ＩＣリーダ／ライタ１が無線で応答要求信号をブロードキャストし、応答のあった携帯端末２のメモリ部４１である例えばＩＣタグから情報（当該ＩＣタグのＩＤなど）を読み出し、当該読み出した情報をもとに、管理情報（ここでは、右側に記載した、入庫時刻、単位時間当たりの駐車料金）を図３のように書き込む（入庫時刻、単位時間料金を書き込む）。
【００３９】
以上のＳ１からＳ３によって、入庫時には、入庫ゲートに設置した図１のＩＣリーダ／ライタ１が入庫時刻、単位時間当りの駐車料金を利用者の携帯端末２に装着したメモリ部（ＩＣタグ）４１上の図３の管理情報テーブル４１０４中の入庫時刻、単位時間料金を書き込むことが可能となる。
【００４０】
Ｓ４は、ＰＯＳ端末で精算する。これは、利用者が駐車場の近傍の店舗で商品を買物し、ＰＯＳ端末で商品の料金を支払う精算を行う。
【００４１】
Ｓ５は、携帯端末をかざす。
Ｓ６は、ＩＣライタが携帯端末にサービス情報を書き込む。これらＳ５、Ｓ６は、Ｓ４で商品を購入してＰＯＳ端末で精算時に、当該ＰＯＳ端末に接続されている図１のＩＣリーダ／ライタ１に利用者がメモリ部（ＩＣタグ）４１付の携帯端末２をかざすと、ＩＣリーダ／ライタ１がメモリ部（ＩＣタグ）４１上の図３の管理情報テーブル４１０のサービス時間欄に、買物金額に応じた割引サービス時間（ここで、右側に記載した例えば２時間無料）を書き込む。
【００４２】
以上のＳ４からＳ６によって、利用者が店舗で商品を購入して精算時に、ＰＯＳ端末に接続された図１のＩＣリーダ／ライタ１にメモリ部（ＩＣタグ）付の携帯端末２をかざすとメモリ部（ＩＣタグ）４１上の図３の管理情報テーブル４１０のサービス時間欄に割引サービス時間（ここでは、２時間無料）を書き込み、商品購入時に無料駐車サービスを記憶することが可能となる。
【００４３】
Ｓ７は、駐車時間・料金の表示を行う。これは、利用者が入庫してから出庫するまで、必要に応じて、随時、携帯端末２の所定ボタン（所定メニュー）を選択すると、図１の駐車場料金精算アプリケーション３を構成する料金・アラーム表示部３３が、メモリ部（ＩＣタグ）４１上の図３の管理情報テーブル４１０の入庫時刻、単位時間料金、サービス時間をもとに現在時刻における料金を計算し、表示部に表示する。例えば後述する図１２では、条件として予め駐車料金が５００円を超える１０分前（店舗から駐車場に行くまでに必要な時間だけ前）にアラームを表示と設定しておいたので、図示のように、自動表示されたものである。
【００４４】
以上のように、利用者の携帯端末２のメモリ部（ＩＣタグ）４１に入庫時刻、単位時間領域、サービス時間が格納されているので、いつでも現在時刻の駐車料金を算出して表示させることが可能となると共に、条件として予め５００円を超える１０分前にアラーム表示と設定しておけば、図１２の表示例に示すように、アラーム表示を自動的に行わせることが可能となる。
【００４５】
Ｓ８は、駐車場の出口で携帯端末をかざす。
Ｓ９は、ＩＣリーダが携帯端末の情報を読み取る。
【００４６】
Ｓ１０は、精算する。
Ｓ１１は、支払う（必要に応じて）。
【００４７】
Ｓ１２は、ＩＣライタが携帯端末の情報を消去する。
Ｓ１３は、ゲートを開とする。これらＳ８からＳ１３は、利用者が自動車を運転して駐車場から出庫ゲートに移動し、出庫ゲートで、図１のメモリ部４１付の携帯端末２を当該出庫ゲートあるいは当該入庫ゲートの近傍に配置したＩＣリーダ／ライタ１にかざすと、ＩＣリーダ／ライタ１が無線で応答要求信号をブロードキャストし、応答のあった携帯端末２のメモリ部４１である例えばＩＣタグから情報（図３の管理情報テーブル）を読み出し、当該読み出した情報をもとに精算済か否かを判別する。精算未のときは精算を促して携帯端末２側の駐車場料金精算アプリケーション３１を構成する精算手段３２に精算させる（入庫時刻、単位時間料金、サービス時間をもとに現在時刻における駐車料金を算出し、利用者に精算（プリペイドカード、クレジットカードによる精算）を促し了解したときに精算させ、決済情報欄に精算時間と駐車料金を書き込ませる）。決済情報欄に精算時間と駐車料金（駐車料金が無料のときはなし）が読み出されたときは、精算済と判定し、メモリ部（ＩＣタグ）４１の管理情報テーブル４１０の情報を消去した後、出庫ゲートを開とする。利用者は開となった出庫ゲートを通って自動車を運転して駐車場の外に出る。
【００４８】
以上のように、利用者がメモリ部（ＩＣタグ）付の携帯端末を、入庫時に入庫ゲート（あるいはその近傍）のＩＣリーダ／ライタ１にかざすのみでメモリ部（ＩＣタグ）４１の管理情報テーブル４１０上の入庫時刻、単位時間料金を書き込み、店舗で商品購入時にＰＯＳ端末に接続されたＩＣリーダ／ライタ１にかざすと無料駐車時間がメモリ部（ＩＣタグ）４１の管理情報テーブル４１０上のサービス時間を書き込み、随時、駐車料金表示ボタンを選択すると、メモリ部（ＩＣタグ）４１の管理情報テーブル４１０を参照して現在時刻における駐車料金を表示させたり、更に条件設定しておいたときは図１２のように後１０分で５００円を超えますというメッセージを表示させたり、更に、出庫時に出庫ゲートに携帯端末をかざすとメモリ部（ＩＣタグ）４１の管理情報テーブル４１０の情報をもとに精算済となっていたときに出庫ゲートを開とし、利用者は自動車を運転して駐車場の外に出ることが可能となる。これらにより、駐車場の入庫ゲート、出庫ゲート、店舗のＰＯＳ端末にＩＣリーダ／ライタ１を設置するのみで全ての情報（入庫時刻、単位時間当り駐車料金、サービス時間、決済情報）を携帯端末２のメモリ部（ＩＣタグ）４１に記憶させ、しかも携帯端末２側の駐車場料金精算アプリケーション３１で料金精算、支払を行うことができ、従来の紙ベースの駐車場精算システムを置き換える場合（あるいは同様な駐車場精算システムを新規に設置する場合）に、極めて簡単なシステム構成で駐車場精算システムを構築することが可能となる。以下順次詳細に説明する。
【００４９】
図３は、本発明のメモリ部のデータ例を示す。これは、図１のメモリ部（ＩＣタグ）４１に設ける管理情報テーブル４１０で管理するデータ例を示し、ここでは、図示の情報を対応づけて登録・管理するものである。
【００５０】
・ＩＤ：
・入庫時刻：
・単位時間料金：
・サービス時間：
・決済情報：
・その他：
ここで、ＩＤは、駐車場を管理する一意のＩＤである。入庫時刻、単位時間料金は入庫した時刻および駐車したときの単位時間当たりの料金であって、利用者が自動車を運転して駐車場の入庫ゲートで、メモリ部付携帯端末２をかざしたときに、当該入庫ゲートに設置した図１のＩＣリーダ／ライタ１が書き込んだ入庫時刻、単位時間料金である。決済情報は利用者が事前精算要求したとき（あるいは利用者がメモリ部付携帯端末を出庫ゲートのＩＣリーダ／ライタ１にかざして精算要求があったとき）に、管理情報テーブル４１０の入庫時刻、単位時間料金、サービス時間をもとに駐車料金を算出し、当該駐車料金を精算（プリペイドカード、クレジットカードなどで精算）したときにその精算情報（例えば１２：３０に精算完了、駐車料金は３００円）である。決済情報が図３の管理情報テーブル４１０に登録されているときは、出庫ゲートのＩＣリーダ／ライタ１は精算済と判断し、当該管理情報テーブル４１０を消去した後、出庫ゲートを開にする。
【００５１】
図４は、本発明の動作説明フローチャート（入庫）を示す。
図４において、Ｓ２１は、ＩＣリーダ／ライタと携帯端末が接触する。これは、利用者が駐車場に入ろうとして、入庫ゲートの前で自動車を一時停止させ、ＩＣタグ付携帯端末を、当該入庫ゲートに設置されているＩＣリーダ／ライタ１に接触させる（かざす）。
【００５２】
Ｓ２２は、ＩＣリーダ／ライタ１がＩＣタグ４１に入庫時刻、時間単位当りの駐車料金を書き込み開始する。
【００５３】
Ｓ２３は、ＩＣタグ４１に情報（入庫時刻、単位時間料金）を書き込む。
Ｓ２４は、正常の書き込み完了の応答を返す。
【００５４】
Ｓ２５は、入庫ゲートをオープンする。
以上によって、利用者が入庫ゲートでＩＣタグ付携帯端末をＩＣリーダ／ライタ１にかざすと、当該ＩＣリーダ／ライタ１が携帯端末２のＩＣタグの図３の管理情報テーブル４１０に、入庫時刻、単位時間料金を書き込むことが可能となる。
【００５５】
図５は、本発明の動作説明フローチャート（駐車サービス）を示す。
図５において、Ｓ３１は、商品の購入完了する。
【００５６】
Ｓ３２は、店舗での購入金額をＩＣリーダ／ライタ１に設定する。
Ｓ３３は、ＩＣリーダ／ライタ１と携帯端末が接触する。
【００５７】
Ｓ３４は、購入金額に応じた駐車サービス時間を算出する。
Ｓ３５は、サービス時間の書き込み開始する。
【００５８】
Ｓ３６は、ＩＣタグ４１に駐車サービス情報を記入する。
Ｓ３７は、正常に書き込み完了を応答する。これらＳ３１からＳ３７は、利用者が店舗で商品をＰＯＳ端末のところは持って行き、当該ＰＯＳ端末で購入商品の金額を算出して現金あるいはクレジットカードで精算する（Ｓ３１）と、当該購入金額がＰＯＳ端末に接続された本願発明に係る図１のＩＣリーダ／ライタ１に転送され（Ｓ３２）、精算の終わった利用者がＰＯＳ端末の近傍に設置されているＩＣリーダ／ライタ１にＩＣタグ付携帯端末２をかざすと（Ｓ３３），ＩＣリーダ／ライタ１が購入金額に応じた駐車サービス時間を計算し、当該駐車サービス時間をＩＣタグ４１の図３の管理情報テーブル４１０のサービス時間欄に書き込む（Ｓ３４、Ｓ３５、Ｓ３６、Ｓ３７）。
【００５９】
以上によって、利用者が店舗で商品を持って行きＰＯＳ端末で金額を算出して支払うと、その金額がＰＯＳ端末に接続された本願発明に係る図１のＩＣリーダ／ライタ１に転送され、ＩＣリーダ／ライタ１が金額に応じた駐車サービス時間を算出し、かざされた利用者の携帯端末のＩＣタグ４１の図３の管理情報テーブル４１０中のサービス時間欄に書き込むことが可能となる。
【００６０】
図６は、本発明の動作説明フローチャート（出庫、その１）を示す。これは、事前精算なしで出庫するときの詳細フローチャートである。
【００６１】
図６において、Ｓ４１は、ＩＣリーダ／ライタ１と携帯端末が接触する。
Ｓ４２は、ＩＣタグ４１に記憶されている入庫時刻、サービス情報、決済情報をＩＣリーダ／ライタ１へ送信要求する。
【００６２】
Ｓ４３は、Ｓ４２の送信要求に応じて、ＩＣタグ４１が送信完了する。
Ｓ４４は、事前精算がおわっていなければ以下の精算処理実施する。充足していれば、Ｓ４９に進み、不足であれば、Ｓ４５からＳ４８で精算した後、Ｓ４９に進む。
【００６３】
Ｓ４５は、料金精算要求を通知する。
Ｓ４６は、Ｓ４５の通知を受けた携帯端末２の駐車場料金精算アプリケーション３１の精算手段３２を起動する。
【００６４】
Ｓ４７は、電子マネーによる精算処理実施する。例えば、プリペイドカード、クレジットカードによる引落を実施する（必要あれば携帯端末２で該当センタと接続して実施する）。
【００６５】
Ｓ４８は、精算完了を応答する。これは、携帯端末２のＩＣタグ４１の図３の管理情報テーブル４１０中の決済情報欄に決済時刻と金額（サービス時間内のときは決済時刻のみ）を格納し、精算完了を出庫ゲートのＩＣリーダ／ライタ１に応答する。
【００６６】
Ｓ４９は、出庫ゲートをオープンする。これは、Ｓ４４で充足したと判定（図３の管理情報テーブル４１０中の決済情報欄に決済時刻が登録済で駐車料金精算済と判定）、あるいはＳ４５からＳ４８の処理で携帯端末２のＩＣタグ４１の図３の管理情報テーブル４１０中の決済情報欄に決済時刻と料金（あるいはサービス時間内のときは決済時刻のみ）が登録されたと判明した場合）、出庫ゲートをオープンし、利用者が自動車を運転して駐車場の外に出る。尚、出庫ゲートをオープンする前に、利用者の携帯端末２のＩＣタグ４１の管理情報テーブル４１０の情報を消去し、利用者の個人的なセキュリティを担保する。
【００６７】
図７は、本発明の動作説明フローチャート（出庫、その２）を示す。これは、事前精算して出庫するときの詳細フローチャートである。
【００６８】
図７において、Ｓ５１は、利用者が精算を開始する。これは、利用者が所持する図１のＩＣタグ付携帯端末２の精算ボタンを選択し、図１の駐車場料金精算アプリケーション３１を構成する精算手段３２を起動する。
【００６９】
Ｓ５２は、記録されている入庫時刻、サービス情報、時間当たりの駐車料金などから駐車料金を算出する。これは、Ｓ５１で起動された精算手段３２がＩＣタグ４１の管理情報テーブル４１０から入庫時刻、単位時間料金、サービス時間を読み出し、駐車料金を算出する。
【００７０】
Ｓ５３は、駐車料金の精算を実施する。これは、Ｓ５２で精算手段３２が算出した駐車料金を表示し、利用者が精算了解（例えば、プリペイドカード、クレジットカードで決済を了解）にもとづき、精算処理する（プリペイドカードから駐車料金を減算して更新、あるいはクレジットカードのときはサーバに携帯電話で接続して口座引落処理を実施する）。そして、事前精算完了したときは、ＩＣタグ４１の図３の管理情報テーブル４１０の決済情報欄に決済時刻と駐車料金を登録し、事前精算済であることを登録しておく。
【００７１】
以上のＳ５１からＳ５３によって、利用者は所持する携帯端末２上で事前精算ボタンを選択すると当該携帯端末２に装着されているＩＣタグ４１の図３の管理情報テーブル４１０を参照して駐車料金を算出して表示し、決済了解ボタンが選択されると駐車料金の決済を実施および管理情報テーブル４１０の決済情報欄に決済時刻と駐車料金を書き込み事前精算済を登録することが可能となる。
【００７２】
Ｓ５４は、ＩＣリーダ／ライタ１と携帯端末が接触する。これは、Ｓ５１からＳ５３で利用者が携帯端末を利用して駐車料金の事前精算した後、自動車を運転して出庫ゲートに来て一時停止し、ＩＣタグ付携帯端末２を出庫ゲートに設置されたＩＣリーダ／ライタ１にかざす。
【００７３】
Ｓ５５は、ＩＣタグ４１に記憶されている入庫時刻とサービス情報、決済情報をＩＣリーダ／ライタ１へ送信要求する。
【００７４】
Ｓ５６は、決済情報を読み出す。
Ｓ５７は、送信完了する。
【００７５】
Ｓ５８は、精算済であることを確認する。これらＳ５５からＳ５８は、事前精算した利用者が出庫ゲートのＩＣリーダ／ライタ１に携帯端末２をかざしたときに（Ｓ５４）、出庫ゲートに設置されているＩＣリーダ／ライタ１が携帯端末２のＩＣタグ４１の管理情報テーブル４１０中の決済情報欄の情報を読み出し、ここでは、決済時刻が読み出されて既に事前精算済と確認できたので、次のＳ５９に進む。尚、決済時刻と現時刻との差が所定時間（例えば１０分）以上のときは追加料金が必要とし、既述した図６のＳ４５からＳ４９を実行する。
【００７６】
Ｓ５９は、出庫ゲートをオープンする。そして、利用者は自動車を運転して駐車場の外に出る。出庫ゲートをオープンする前に、ＩＣリーダ／ライタ１がＩＣタグ４１の管理情報テーブル４１０の情報を消去し、利用者のプライバシーを担保する。
【００７７】
図８は、本発明の動作説明フローチャート（ＩＣリーダ／ライタ）を示す。これは、図１のＩＣリーダ／ライタ１が入庫ゲート、ＰＯＳ端末（買物時）、出庫ゲートのいずれに設置されたかによってＩＣタグ４１に書き込んだり、読み出したりする情報が異なるので、それぞれの処理をまとめたものである。
【００７８】
図８において、Ｓ６１は、指示を判定する。これは、入庫ゲート、ＰＯＳ端末、出庫ゲートのいずれに配置された図１のＩＣリーダ／ライタ１に対する指示か判別する。
【００７９】
Ｓ６２は、入庫ゲートに配置されたＩＣリーダ／ライタ１に対する指示の場合には、入庫時刻と単位時間当たりの料金を管理情報テーブルに書き込む。これにより、既述したように、利用者が所持する携帯端末２のＩＣタグ４１の図３の管理情報テーブル４１０中の、
・入庫時刻
・単位時間料金
が書き込まれることとなる。
【００８０】
Ｓ６３は、ＰＯＳ端末に接続（配置）されたＩＣリーダ／ライタ１に対する指示の場合には、サービス券情報を管理情報テーブルに書き込む。これにより、既述したように、利用者が所持する携帯端末２のＩＣタグ４１の図３の管理情報テーブル４１０中の、
・サービス時間
が書き込まれることとなる。
【００８１】
Ｓ６４は、駐車時刻アラーム設定されている場合、利用料金アラームを再設定する。これは、利用者が条件設定（所定駐車料金を超える所定分前）を行った場合には、再設定する（時刻差分情報は、例えば図１のメモリ３０に記憶する）。
【００８２】
Ｓ６５は、出庫ゲートに配置されたＩＣリーダ／ライタ１に対する指示の場合には、以下の情報をＩＣタグ４１から読み出して返答する。
【００８３】
・決済完了（完了時間）／未完了
・入庫時刻
・単位当りの料金
・サービス券情報
これら情報のうち、決済完了時刻が現時刻より所定分以内（例えば１０分以内）のときは事前精算が有効とし、出庫ゲートをオープンする。一方、以上のときは追加、駐車料金が必要、あるいは決済完了時間が未設定の場合には事前精算なしと判断し、入庫時刻、単位時間当たり料金、サービス券情報（無料サービス時間）をもとに駐車料金を計算し、支払を求める。
【００８４】
Ｓ６６は、駐車場利用情報を消去する（＊１）。ここで、サービス券情報（無料サービス時間）を残し、次回に使用可能とする（この際には、図３の管理情報テーブル４１０のＩＤは駐車場毎に一意のＩＤを使って次回に消去しないで残したサービス券情報が使用できるように管理する）。
【００８５】
図９は、本発明の動作説明フローチャート（料金確認または事前精算）を示す。これは、利用者が駐車場に隣接する店舗などで商品の買物を行っている最中に無料サービス時間を含めた、現在の駐車料金を計算して携帯端末２に表示させたり、出庫の混雑に備えて事前精算を行うときの処理の詳細である。
【００８６】
図９において、Ｓ７１は、管理情報テーブル４１０より下記情報を読み出す。これは、利用者が携帯端末２の料金確認指示ボタンあるいは事前精算指示ボタン（あるいはメニュー）を選択したことに対応して、駐車場料金精算アプリケーション３１を構成する料金・アラーム表示部３３、精算手段３２が必要な下記の情報をＩＣタグ４１から読み出す。
【００８７】
・入庫時刻：
・単位時間当たりの料金：
・サービス券情報：
Ｓ７２は、現在時刻と上記情報から現在の駐車料金を算出する。これは、入庫時刻から現在時刻までの時間を算出し、この時間からサービス券情報で表される無料サービス時間
を減算し、残りの時間がなければ駐車料金が０円、残りの時間があれば、単位時間当たりの料金を乗算して駐車料金を算出する。
【００８８】
Ｓ７３は、指示を判定する。これは、最初に利用者から駐車料金の表示あるいは事前精算のいずれが指示されたか判別する。
【００８９】
Ｓ７４は、料金確認指示と判明した場合に、画面表示する。これにより、利用者から現在の駐車料金指示がされた場合には、Ｓ７２で算出した現在時刻における駐車料金を携帯端末２の表示部に提示する。
【００９０】
Ｓ７５は、事前精算指示と判明した場合に、電子マネーによる決済処理を実施する。例えば駐車料金を携帯端末２の表示部に表示し、利用者に決済する方法（プリペイドカード、クレジットカードなどの方法）から１つを選択させると共に駐車料金の決済の了解の旨のボタンを選択させ、選択された決済方法に従い駐車料金の支払を行う。
【００９１】
Ｓ７６は、決済完了情報（時刻など）を管理情報テーブルに書き込む。これにより、利用者の携帯端末２のＩＣタグ４１の図３の管理情報テーブル４１０の決済情報に決済時刻、決済金額を書き込み、決済（事前精算済）を登録することが可能となる。
【００９２】
図１０は、本発明の動作説明フローチャート（携帯端末上で駐車時間アラーム設定）を示す。
【００９３】
図１０において、Ｓ８１は、管理情報テーブルより下記情報を読み出す。これは、利用者が携帯端末２の駐車時間アラーム設定ボタン（あるいはメニュー）を選択したことに対応して、駐車場料金精算アプリケーション３１を構成する料金・アラーム表示部３３が必要な下記の情報をＩＣタグ４１から読み出す。
【００９４】
・入庫時刻：
・単位時間当たりの料金：
・サービス券情報：
Ｓ８２は、現在時刻と上記情報から現在の駐車料金を算出する。これは、入庫時刻から現在時刻までの時間を算出し、この時間からサービス券情報で表される無料サービス時間
を減算し、残りの時間がなければ駐車料金が０円、残りの時間があれば、単位時間当たりの料金を乗算して駐車料金を算出する。
【００９５】
Ｓ８３は、指示を判定する。これは、最初に利用者から駐車時間アラーム設定が指示されたか判別する。ＹＥＳの場合（アラーム設定指示の場合）には、Ｓ８４に進む。ＮＯの場合には、ここでは、終了する。
【００９６】
Ｓ８４は、利用者がアラーム通知する駐車料金を設定する。
Ｓ８５は、利用者が指定料金満了時刻の何分前に通知するかを設定する。
【００９７】
Ｓ８６は、設定された料金と現在の駐車料金とを比較する。アラームを設定可と判明した場合には、Ｓ８７に進む。一方、不可の場合には、Ｓ８６を所定回数繰り返し、それでも不可のときは終了する（ＥＮＤ）。
【００９８】
Ｓ８７は、アラーム設定する。これは、図１のメモリ３０に、駐車料金（例えば５００円）、何分前（例えば１０分）の情報を記憶する。
【００９９】
以上によって、利用者が携帯端末からアラーム設定する条件（駐車料金（例えば５００円）、何分前（例えば１０分））を設定することにより、当該条件に合致したときに自動的に、後述する図１２のアラーム表示させることが可能となる。
【０１００】
図１１は、本発明の動作説明フローチャート（携帯端末で駐車時間アラーム表示）を示す。
【０１０１】
図１１において、Ｓ９１は、設定条件を満たしたか判別する。これは、既述した図１０のＳ８７で設定した条件（例えば駐車料金”５００円”、何分前”１０分”）を満たしたか判別する。ＹＥＳの場合には、Ｓ９２でアラームを表示、例えば図１２のアラーム表示を携帯端末２に行い、終了する。一方、ＮＯの場合には、終了する。
【０１０２】
図１２は、携帯端末の駐車時間アラーム表示例を示す。これは、既述した図１０のＳ８７で設定条件
・駐車料金”５００円”
・何分前”１０分”
を満たしたときに、表示した駐車時間アラーム表示例である。ここでは、矩形で囲んだ部分が設定条件に従い入替え、設定条件を満たした時刻に、利用者の携帯端末２の表示部にホップアップして表示および音声で知らせる。また、現在時刻を併せて表示する。これにより、利用者が駐車場に自動車を入れて店舗で買物中に、ＩＣタグ４１の管理情報テーブル４１０に書きこまれた入庫時刻、単位時間料金、無料サービス時間をもとに算出した料金が、設定条件（例えば駐車料金５００円、１０分前）に一致した時刻に当該図１２の駐車時間アラーム表示が表示されるので、これを見て駐車場に行けば、丁度設定料金を使いきった時刻に駐車場を出庫することが可能となる。
【産業上の利用可能性】
【０１０３】
本発明は、利用者はＩＣタグ付携帯端末を入庫ゲート、出庫ゲート、更に、店舗のゲートに触れるあるいは近接するのみで自動的に駐車サービスを受けられると共に、駐車システム側では専用サーバが不要であり、かつ単に入庫ゲート、出庫ゲート、更に、ＰＯＳ端末などにＩＣリーダ・ライタを設置するという簡単な構成で、従来の紙ベースの駐車券、磁気ストラップ付駐車サービス券に取って代わる駐車システムを構築する駐車場精算システム、メモリ部付携帯端末、ＰＯＳ端末ゲート、および駐車場精算プログラムに関するものである。
【図面の簡単な説明】
【０１０４】
【図１】本発明のシステム構成図である。
【図２】本発明の動作説明フローチャート（全体）である。
【図３】本発明のＩＣタグのデータ例である。
【図４】本発明の動作説明フローチャート（入庫）である。
【図５】本発明の動作説明フローチャート（駐車サービス）である。
【図６】本発明の動作説明フローチャート（出庫、その１）である。
【図７】本発明の動作説明フローチャート（出庫、その２）である。
【図８】本発明の動作説明フローチャート（ＩＣリーダ／ライタ）である。
【図９】本発明の動作説明フローチャート（料金確認または事前精算）である。
【図１０】本発明の動作説明フローチャート（携帯端末上で駐車時間アラーム設定）である。
【図１１】本発明の動作説明フローチャート（携帯端末上で駐車時間アラーム表示）である。
【図１２】本発明の携帯端末上の駐車時間アラーム表示例である。
【符号の説明】
【０１０５】
１：ＩＣリーダ／ライタ
１１：制御部
１２：管理情報アクセス部
１３：ＩＣリーダ／ライタ機能
１４：通信部
１５：タイマ
１６：メモリ
１６１：時間当たりの駐車料金情報
１６２：店舗情報
１６３：利用可能サービス券情報
１６４：決済情報
２：携帯端末（携帯電話など）
２１：制御部
２２：管理情報アクセス部
２５：ＩＣリーダ／ライタ
２６：通信部
２７：表示部
２８：入出力部
２９：タイマ
３０：メモリ
３１：駐車場料金精算アプリケーション
３２：精算手段
３３：料金・アラーム表示部
４１：メモリ部（ＩＣタグ）
４１０：管理情報テーブル
４１１：入庫時間
４１２：時間当たりの駐車料金情報
４１３：サービス券情報
４１４：決済情報
４１５：電子マネー情報
【図１】
2008242727.tif 000003
【図２】
2008242727.tif 000004
【図３】
2008242727.tif 000005
【図４】
2008242727.tif 000006
【図５】
2008242727.tif 000007
【図６】
2008242727.tif 000008
【図７】
2008242727.tif 000009
【図８】
2008242727.tif 000010
【図９】
2008242727.tif 000011
【図１０】
2008242727.tif 000012
【図１１】
2008242727.tif 000013
【図１２】
2008242727.tif 000014